(57)【要約】【課題】構成部品を少なくして組み立て作業を簡素化し、よって組み立て工数を少なくし、安価な冷暖房装置としてのペット用冷温シート装置を提供する。【解決手段】上部にゴムパッキン６を嵌着可能とした給水口６と蓋体７を取り付け可能としたサービス開口部１０を形成し、下部にはドレーン口８を形成したタンク１と該タンク１の下部に固着したマット３から成り、前記タンク１内部には循環ポンプ２を取り付け固定し、該循環ポンプ２に連通した送水ホース４を前記マット３の内部を通して配設すると共に、循環ポンプ２と連通している側とは反対側の端部をタンク１内に配設して前記循環ポンプ２の駆動によって前記タンク１内の水が循環するよう構成してマット３の表面温度を前記タンク１内の水の温度に連動し変化させるようにする。【選択図】            図１
2004173667.tif 000002
【特許請求の範囲】
【請求項１】
上部にゴムパッキンを嵌着可能とした給水口と蓋体を取り付け可能としたサービス開口部を形成し、下部にはドレーン口を形成したタンクと該タンクの下部に固着したマットから成り、前記タンク内部には循環ポンプを取り付け固定し、該循環ポンプに連通した送水ホースを前記マットの内部を通して配設すると共に、循環ポンプと連通している側とは反対側の端部をタンク内に配設して、前記循環ポンプの駆動によって前記タンク内の水が循環するよう構成し、マットの表面温度を前記タンク内の水の温度に連動し変化させるようにしたことを特徴とするペット用冷温シート装置。
【請求項２】
タンクに於いて、給水口とサービス開口部及びドレーン口そしてマットへの固着部を除いた外周表面を外装でもって被覆したことを特徴とする請求項１記載のペット用冷温シート装置。
【請求項３】
送水ホースに於いて、循環ポンプと連通している側即ち送水側及び該送水側とは反対側の端部即ち還水側以外はマットに於けるタンク固着部以外の範囲でインサート状に一体形成したことを特徴とする請求項１及び２記載のペット用冷温シート装置。
【発明の詳細な説明】
【０００１】
【発明の属する技術分野】
本発明は、犬や猫そして他の小動物にも使用可能なペット用冷暖房装置で、ペットが快適な生活を送れる冷温シート装置に関するものである。
【０００２】
【従来技術】
大昔から、人間は犬や猫をはじめとする小動物をペットとして愛玩して来たが、単に愛玩するだけでなく、家族の一員として可愛がっている人達も大勢いる。従って、その様な人達は全ての生活環境を自分達と同じにしてあげたいと思うものである。例えば、猛暑の時や極寒の時等は自分達だけが冷房や暖房の効いた部屋に居るのを心苦しく思い、可哀相になり、つい同じ部屋に入れてしまうことがある。然し、動物によっては我々人間が思うほど辛いとは思ってなく、同じ部屋に入れられて、返って有りがた迷惑という場合も無きにしもあらずということもある。要するに人間と動物では快適条件が異なるのが当たり前で、故に動物のことを考えれば、その動物に合った専用の冷暖房装置を用意してあげるのが、最も良い方法ということになる。こうした考えから、近年、小動物用の冷暖房装置が種々開発され広く利用されている。特開２０００−１１６２６３はその一例であるが、平板状の基台部の一端側に本体部を設け、この本体部にペルチェ効果を利用した冷却過熱ユニットを内蔵し、冷却過熱ユニットにより得られる低温或いは高温状態をアルミニウムプレートのような熱伝導率の良いものを介して前記基台部に伝達するのを基本構造としている。
【０００３】
【発明が解決しようとする課題】
ところが、上記従来技術はペルチェ効果を利用した冷却過熱ユニットを使用すること、更に冷却を効果的に行うために冷却ファンを使用するので構成部品が多くなり、組み立て作業は簡単とは云えず、それに伴い組み立て工数も多くなるという問題を有していた。
【０００４】
本発明の目的は、上記従来技術の問題点に鑑み、構成部品を少なくして組み立て作業を簡素化し、よって組み立て工数を少なくし、安価な冷暖房装置としてのペット用冷温シート装置を提供することである。
【０００５】
【課題を解決するための手段】
上記目的を達成するために、請求項１記載の発明は、上部にゴムパッキンを嵌着可能とした給水口と蓋体を取り付け可能としたサービス開口部を形成し、下部にはドレーン口を形成したタンクと該タンクの下部に固着したマットから成り、前記タンク内部には循環ポンプを取り付け固定し、該循環ポンプに連通した送水ホースを前記マットの内部を通して配設すると共に、循環ポンプと連通している側とは反対側の端部をタンク内に配設して前記循環ポンプの駆動によって前記タンク内の水が循環するよう構成してマットの表面温度を前記タンク内の水の温度に連動し変化させるようにしたものである。この様に構成したことにより、構成部品を少なくすることが出来、組み立て作業が簡素化し、よって組み立て工数が少なくなり、安価な冷暖房装置としてのペット用冷温シート装置を提供することが可能となる。
【０００６】
請求項２記載の発明は、タンクに於いて、給水口とサービス開口部及びドレーン口そしてマットへの固着部を除いた外周表面を外装でもって被覆したものである。この様に構成したことにより、タンク表面の保護ばかりでなく、タンク内の水の保温性が向上し、水の温度変化を少なく押えることが出来る。
【０００７】
請求項３記載の発明は、送水ホースに於いて、循環ポンプと連通している側即ち送水側及び該送水側とは反対側の端部即ち還水側以外はマットに於けるタンク固着部以外の範囲でインサート状に一体成形したものである。この様に構成したことにより、マットへの送水ホース配設が確実になり、送水ホースのズレ防止が図れ、マットへの温度伝達が効果的に行なえるばかりでなく、一体成形によりコンプリート化されるので、取り扱いが簡単となって、タンクへの組付けを容易に行うことが出来る。
【０００８】
【発明の実施の形態】
以下、本発明の実施の形態を実施例である図１〜図６に基づき詳細に説明する。図１は、本発明によるペット用冷温シート装置の一実施例を示す平面図、図２は同じくペット用冷温シート装置の一実施例を示す正面図であるが、両図を用いて基本構成を説明する。１は合成樹脂例えばポリエチレンで一体的にブロー成形されたタンクで、その外側はウレタン製の外装５で一体的に被覆成形されている。該タンク１の下側にはゴム製で平面視長方形をした平板状のマット３が、一方側において前記タンク１の底部と位置を同じくして接着等によって固着されている。タンク１内底部の適所には循環ポンプ２が適切な手段でもって取り付け固定されていて、柔軟性のあるゴムによって作られた送水ホース４の一端側が連通している。該送水ホース４は、前記循環ポンプ２と連通している側即ち送水側及び該送水側とは反対側の端部即ち還水側以外はマット３に於けるタンク１固着部以外の範囲でインサート状に形成されていて、マット３内に配設した状態としてある。マット３内の送水ホース４は部分的に蛇行しているが、これはマット３内に送水ホース４を高密度に配置即ち広範囲に配置すれば、それだけ効果的にマット３への熱伝達が可能となるからである。然し、ただ広範囲に配置すればよいかと云うと、必ずしもそうではなく、送水ホース４の使用長さの問題更にマット３へのインサートの問題等価格や成形技術に悪影響を及ぼすことにもなるので、送水ホース４の配置は、自身の材質や内径そして肉厚は勿論、マット４の表面積、厚さ、材質等を充分考慮の上決定することが重要である。送水ホース４をマット３の中へ配設する方法としては、マット３を２枚に分けて、その間にホース４を配設そして後周囲の隙間をゴム製の別部材で閉鎖し、内部に於いては送水ホース４の位置がずれないように位置決め部材を使用するようにしても良いが、射出成形でもって一体的に成形するのが好適である。ドレーン口８は、タンク１内の水量を調節或いは排水するためのもので、本実施例ではタンク１内の底部であって循環ポンプ２と反対側のコーナー部に形成されている。尚、送水ホース４は配管固定スリーブ９，９でもってタンク１に固定されていることを付言して置く。更に、タンク１、マット３、そして外装５の材料は、前述したものに必ずしも限定する必要はなく、ゴムに変えて合成樹脂逆に合成樹脂に変えてゴムに変えても良く、要はそれぞれの機能を果たし得る材料であれば良い。例えば、タンク１の場合はブロー成形し易い材料、マット３では熱伝導率の良いもの、外装５は保温性のよい材料が重要となるので、その仕様を満足するものであればどのような材料であっても良いと云うことである。尚付言すれば、１１は循環ポンプ２に連結しているコードで操作スイッチ１２に連結され、該操作スイッチ１２のコード１１側とは反対側にはコード１３が連結していて、該コード１３の先端にはソケット１４が取り付けられている。
【０００９】
図３は、図２のＡ部特に循環ポンプ２の部分を示す詳細断面図であるが、本図を用いて循環ポンプ２を主とした構成を詳細に説明する。外装５が被覆されたタンク１の底部には適切な手段でもって循環ポンプ２が取り付け固定されていて、該循環ポンプ２には、送水ホース４がホースバンド１５によって確実に連接されている。送水ホース４は、タンク１測部の適切な部分に形成した孔を通ってマット３に入り込むようになっていて、タンク１との固定は配管固定スリーブ９を介して行なわれ、損傷防止やガタ防止を含めて安定した取り付け状態が確保出来るよう考慮されている。
【００１０】
図１で理解できるように、タンク１上部にはゴムパッキン６と蓋体７が設けられている。それではここで図４を参照しながらゴムパッキン６について説明する。タンク１上部の一側（本実施例では図１に於ける上側）には、バーリング状を呈した給水口１６が外装５の開放部から突出するように形成されていて、ここからタンク１への給水を行なうようになっている。ゴムパッキン６は給水口１６の蓋体として機能し、タンク１への給水完了後水漏れを防止するため、或いは異物混入を防止するために給水口１６に嵌着するようになっている。尚、前述したゴムパッキン６と給水口１６の形状は実施例として説明したもので、この形状に限定されるものでないことは云うまでもない。
【００１１】
次に、図５を参照しながら蓋体７について説明する。タンク１上部であって、前記給水口１６の反対側（本実施例では図１に於ける下側）にはサービス開口部１０が形成されていて、該サービス開口部１０の上側の外装５には開放部が貫設され、この開放部に嵌合するよう蓋体７がタンク１に取り外し可能に固定されている。蓋体７は、平板状を呈したポリエチレン製で、タンク１に複数形成したバーリングネジ部１８を介して、複数のビス１７でもって取り付け固定されている。サービス開口部１０は、循環ポンプ２そして送水ホース４との連通状態等を点検整備及び修理する場合に使用する作業用開口部である。尚、蓋体７の材料がポリエチレンに限定されないことは云うまでもなく、外装５と同じウレタン製でも良く、又は仕様を満足するものであればその他の材料でも良い。更に、蓋体７のタンク１への取り付けは、前述した方法以外、例えば単純にボルトとナットを利用しても良い。
【００１２】
図６は、本発明によるペット用冷温シート装置にカバー１９を使用した状態を示す斜視図であるが、カバー１９は断面略コ字状を呈した合成樹脂製で形成されていて、タンク１の部分を除いたマット３を覆うように配置されている。これによってマット３上でくつろいでいるペットは左右の視界から遮断されるので、左右の状況に気を使うことが無くなり、更にリラックスすることが出来る。又、冬場などでは、マット３上の空気を保温する効果をもたらすことも出来る。尚、本実施例では、カバー１９を断面略コ字状としたが、曲面状としても良く、マット３への取り付けも単純に嵌め込んでも良いし、ボルトやクリップ等で取り付けるようにしても良い。又、タンク１とは反対側は出入り口として開放されているが、ドアを開閉可能に取り付けることも可能である。更に、本発明による冷温シート装置は、単独で使用（必要に応じてカバー１９は脱着）するのは勿論、色々な使い方が可能で、例えばカバー１９を除いた状態で犬小屋等の中に入れて使用することも出来る。
【００１３】
それでは次に、使用方法について説明する。ソケット１４を図示しないコンセントに差込み、操作スイッチ１２をＯＮすると循環ポンプ２が駆動し、タンク１内の水を送水ホース４内に送り込む。送り込まれた水は、送水ホース４内を通り、送水ホース４の端部即ち還水側に至り、タンク１に還流する。この動作が繰り返されることで、マット３は送水ホース内の循環水の温度の影響を受け、温度を変化させる。即ち循環水が冷水であれば温度が下がり、温水であれば温度は上がる。従って、夏場では循環水に冷水を使用すれば冷房装置とり、温水を使用すれば暖房装置となる。水を冷やす手段としては、氷の投入や蓄冷材の使用等があり、温水としては、高温に沸かしたお湯を（湯タンポと同様に）そのまま使用しても良いが、必要によってはヒーターを使用することも可能である。
【００１４】
【発明の効果】
本発明は、以上説明したように構成されているので、以下に説明するような効果を奏する。
【００１５】
本発明によるペット用冷温シート装置は、上部にゴムパッキンを嵌着可能とした給水口と蓋体を取り付け可能としたサービス開口部を形成し、下部にはドレーン口を形成したタンクと該タンクの下部に固着したマットから成り、前記タンク内部には循環ポンプを取り付け固定し、該循環ポンプに連通した送水ホースを前記マットの内部を通して配設すると共に循環ポンプと連通している側とは反対側の端部をタンク内に配設して前記循環ポンプの駆動によって前記タンク内の水が循環するよう構成してマットの表面温度を前記タンク内の水の温度に連動し変化させるようにしたので、構成部品が少なくなり、組み立て作業が簡素化し、よって組み立て工数が少なくなって安価な冷暖房装置としてのペット用冷温シート装置を提供することが出来る。
【００１６】
更に、本発明によるペット用冷温シート装置は、タンクに於いて給水口とサービス開口部及びドレーン口そしてマットへの固着部を除いた外周表面を外装でもって被覆したので、タンク表面の保護ばかりでなく、タンク内の水の保温性が向上し、水の温度変化を少なく押えることが出来る。
【００１７】
更に、本発明によるペット用冷温シート装置は、送水ホースに於いて、循環ポンプと連通している側即ち送水側及び該送水側とは反対側の端部即ち還水側以外はマットに於けるタンク固着部以外の範囲でインサート状に一体成形したので、マットへの送水ホース配設が確実になり、送水ホースのズレ防止が図れ、マットへの温度伝達が効果的に行なえるばかりでなく、一体成形によりコンプリート化され、取り扱いが簡単となって、タンクへの組付けを容易に行うことが出来る。
【図面の簡単な説明】
【図１】本発明によるペット用冷温シート装置の一実施例を示す平面図である。
【図２】本発明によるペット用冷温シート装置の一実施例を示す正面図である。
【図３】図２のＡ部特に循環ポンプの部分を示す詳細断面図である。
【図４】図１のＢ−Ｂ断面図である。
【図５】図１のＣ−Ｃ断面図である。
【図６】本発明によるペット用冷温シート装置にカバーを使用した状態を示す斜視図である。
【符号の説明】
１    タンク                １２  操作スイッチ
２    循環ポンプ            １３  コード
３    マット                １４  ソケット
４    送水ホース            １５  ホースバンド
５    外装                  １６  給水口
６    ゴムパッキン          １７  ビス
７    蓋体                  １８  バーリング状部
８    ドレーン口            １９  カバー
９    配管固定スリーブ
１０  サービス開口部
１１  コード
【図１】
2004173667.tif 000003
【図２】
2004173667.tif 000004
【図３】
2004173667.tif 000005
【図４】
2004173667.tif 000006
【図５】
2004173667.tif 000007
【図６】
2004173667.tif 000008